(57)【特許請求の範囲】
【請求項１】
登録された買上商品の合計金額である買上代金を算出し、買上代金の精算を行うとレシートを発行する精算装置において、
２つの面を備えた用紙の一方の面にレシートを印字する第１の印字部と、
前記レシートを印字した前記用紙の面と異なる面に領収書を印字する第２の印字部と、
を備え、
前記領収書の文字の向きと前記用紙が搬送される方向とが平行となるように印字された場合の前記領収書の長さと、前記領収書の文字の向きと前記用紙が搬送される方向とが直交となるように印字された場合の前記領収書の長さと、前記レシートの長さと、に基づいて、前記精算装置の制御部は前記領収書に印字する文字の向きを判断し、
前記第２の印字部は、前記制御部が判断した前記文字の向きで前記領収書を印字する
ことを特徴とする精算装置。
【請求項２】
前記用紙を切断する切断部と、
前記レシートの長さと、前記領収書の長さとを比較し、比較した結果に基づいて前記切断部を制御する制御部と、
を備えたことを特徴とする請求項１に記載の精算装置。
【発明の詳細な説明】
【技術分野】
【０００１】
本発明は、小売店などで使用される精算装置に関する。
【背景技術】
【０００２】
従来、スーパーマーケットなどの小売店などで使用されるＰＯＳレジスタやキャッシュレジスタなどの精算装置において、精算中または精算処理後に顧客から領収書の発行要求がある場合、店員は領収書キーを操作することによって、１つの印字部を用いてレシートの発行を行い、続いて領収書の発行を行うことが可能な精算装置が知られている（例えば、特許文献１参照）。
【特許文献１】特開平５−３２５０４４号公報
【発明の開示】
【発明が解決しようとする課題】
【０００３】
現在では様々な材料の価格が高騰しており、レシート用紙や領収書用紙も例外ではなく価格が高騰している。そのため、店舗ではレシート用紙や領収書用紙などの印字用紙の使用量を減らしたいが、特許文献１での領収書の発行方法では、レシートと領収書はそれぞれ印字用紙が必要なため、印字用紙を減らすことができないという問題があった。また、精算処理の速度が顧客による店舗の評価に繋がるが、領収書の発行要求がある度に店員は領収書発行キーを操作する必要があり、領収書の発行を行うと精算処理の速度が遅くなるという問題があった。
【０００４】
本発明では、上記の課題を解決するためになされたものであり、領収書を発行する場合においても、印字用紙を減らし、さらに精算処理の速度をより向上させることができる精算装置を提供することを目的とする。
【課題を解決するための手段】
【０００５】
本発明は、登録された買上商品の合計金額である買上代金を算出し、買上代金の精算を行うとレシートを発行する精算装置において、２つの面を備えた用紙の一方の面にレシートを印字する第１の印字部と、前記レシートを印字した前記用紙の面と異なる面に領収書を印字する第２の印字部と、を備え、前記領収書の文字の向きと前記用紙が搬送される方向とが平行となるように印字された場合の前記領収書の長さと、前記領収書の文字の向きと前記用紙が搬送される方向とが直交となるように印字された場合の前記領収書の長さと、前記レシートの長さと、に基づいて、前記精算装置の制御部は前記領収書に印字する文字の向きを判断し、前記第２の印字部は、前記制御部が判断した前記文字の向きで前記領収書を印字することを特徴とする精算装置である。
【０００６】
また、本発明は、前記用紙を切断する切断部と、前記レシートの長さと、前記領収書の長さとを比較し、比較した結果に基づいて前記切断部を制御する制御部と、を備えたことを特徴とする精算装置である。
【発明の効果】
【０００８】
請求項１によれば、領収書を発行する場合において、印字用紙を減らし、さらに精算処理の速度をより向上させることができる。また、請求項２によれば、精算装置が、自動的に必要な印字用紙の長さを判断し切断するため、印字用紙に確実にレシート部と領収書部の両方の項目を欠けることなく印字することができる。また、請求項１によれば、レシート部の長さと、領収書の文字の向きと用紙が搬送される方向とが平行となるように印字された場合の領収書の長さと、領収書の文字の向きと用紙が搬送される方向とが直交となるように印字された場合の領収書の長さとを比較し、領収書の文字の向きと用紙が搬送される方向とが平行となるように領収書を印字するのか、領収書の文字の向きと用紙が搬送される方向とが直交となるように領収書を印字するのかを決定するため、印字用紙の使用量と領収書部の見栄えとを考慮した領収書部の印字を行うことができる。
【発明を実施するための最良の形態】
【０００９】
以下、図面を参照し、本発明の実施形態を説明する。図１は本実施形態による精算装置の構成図である。図示する例では、精算装置はＣＰＵ１０１と、ＲＡＭ１０２と、ＲＯＭ１０３と、表示部１０４と、操作部１０５と、ドロアー部１０６と、時計１０７と、通信部１０８と、第１サーマルヘッド制御部１０９と、第２サーマルヘッド制御部１１０と、カッター部１１１と、第１プラテンローラ駆動部１１２と、バーコードスキャナ１１３とを備える。
【００１０】
ＣＰＵ１０１は、精算装置の制御を行う。ＲＡＭ１０２はＣＰＵ１０１が動作するためのフラグ、レジスタ、ワークエリアとして動作し、また、ＰＬＵ（Ｐｒｉｃｅ  Ｌｏｏｋ  Ｕｐ）ファイル、レシートのフォーマット、縦書き領収書のフォーマット、横書き領収書のフォーマット等を記憶する。縦書き領収書および横書き領収書については後述する。
【００１１】
ＲＯＭ１０３は、ＣＰＵ１０１を動作させるためのプログラムを記憶する。表示部１０４は、精算結果等を店員及び顧客に表示する。操作部１０５は、店員による操作を受け付ける。ドロアー部１０６は商品代金等を保管する。時計１０７は、時刻（年・月・日・時・分・秒）を計時する。通信部１０８は、ストアコントローラや他の精算装置と通信を行う。第１サーマルヘッド制御部１０９は、両面感熱ロール紙の片面にドット印字するよう第１サーマルヘッドの動作を制御する。第２サーマルヘッド制御部１１０は、第１サーマルヘッド制御部１０９が印字した両面感熱ロール紙の面と異なる面にドット印字するよう第２サーマルヘッドの動作を制御する。カッター部１１１はＣＰＵ１０１の制御により、後述する印字用紙を切断する。第１プラテンローラ駆動部１１２は、ステッピングモータを備えており、後述する第１プラテンローラを回転させる。バーコードスキャナ１１３は商品のバーコードを読み取り、商品価格等を取得する。
【００１２】
図２は本実施形態における印字機構の構成を示した図である。印字機構には両面感熱ロール紙２０１と、第１プラテンローラ２０２と、第２プラテンローラ２０３と、第１サーマルヘッド２０４と、第２サーマルヘッド２０５と、カッター２０６とを備える。
【００１３】
両面感熱ロール紙２０１はレシートおよび領収書を印字する用紙である。両面感熱ロール紙２０１は、感熱紙であり、第１サーマルヘッド２０４および第２サーマルヘッド２０５により熱が加えられ、文字が印字される。
【００１４】
具体的な印字機構の動作を説明する。第１プラテンローラ２０２は、図示せぬ回転駆動機構を備えており、この回転機構が回転することで、両面感熱ロール紙２０１を引き出す。また、第１サーマルヘッド２０４により両面感熱ロール紙２０１の一方の面にレシートの印字を行い、第２サーマルヘッド２０５により両面感熱ロール紙２０１の他方の面に領収書の印字を行う。これにより、両面感熱ロール紙２０１の片面にレシートが印字され、もう一方の面に領収書が印字される。レシートおよび領収書の印字が終了した後、カッター２０６は両面感熱ロール紙２０１の切断を行う。両面感熱ロール紙２０１の切断する位置についてはＣＰＵ１０１が決定する。決定方法については後述する。
【００１５】
なお、ＣＰＵ１０１が印字機構の動作の制御を行う。また、ＲＡＭ１０２がレシートおよび領収書に印字を行う内容の情報を記憶している。また、第２プラテンローラ２０３は駆動部を備えておらず、両面感熱ロール紙２０１の引き出しは第１プラテンローラ２０２の駆動のみにより行われる。
【００１６】
次に、レシートおよび領収書を印字する両面感熱ロール紙２０１の長さおよび領収書のフォーマットを決定する手順について図３を参照して説明する。図３は、本実施形態における、レシートおよび領収書を発行する動作の流れを示したフローチャートである。
【００１７】
（ステップＳ３０１）店員は、バーコードスキャナ１１３を用いて、顧客が購入する商品の情報を読み取り、精算装置に登録する。なお、店員は、操作部１０５を用いて顧客が購入する商品の情報を精算装置に登録しても良い。精算装置のＣＰＵ１０１は、バーコードスキャナ１１３で読み取られた情報または操作部１０５が入力を受け付けた情報に基づいて、ＲＡＭ１０２に顧客が購入する商品の情報を記憶させ、商品の合計金額を計算する。その後、ステップＳ３０２に進む。
【００１８】
（ステップＳ３０２）店員は、顧客が購入する全ての商品の情報を精算装置に登録した場合、操作部１０５が備える現計キーなどの「締めキー」を押下する。ＣＰＵ１０１は、操作部１０５が備える「締めキー」が押下されたか否か判断する。押下されたと判断した場合、ステップＳ３０３に進み、それ以外はステップＳ３０１に戻る。
【００１９】
（ステップＳ３０３）ステップＳ３０１でＲＡＭ１０２に記憶された顧客が購入する商品情報に基づいて、ＣＰＵ１０１はレシートの印字内容を決定する。また、ＣＰＵ１０１はレシートの印字内容に基づいてレシートの長さを算出する。その後、ステップＳ３０４に進む。なお、顧客が購入する商品数が多くなるとレシートの長さも長くなる。また、本実施形態でのレシートの長さは、両面感熱ロール紙２０１が搬送される向きの長さのことである。レシートの印字内容は例えば図４に示すとおりである。
【００２０】
図４は、本実施形態におけるレシートの印字内容の一例を示した図である。図示する例では、レシートの印字内容は、顧客に伝える文言と、レシートを発行した日時と、担当者名と、商品名と、商品の価格と、店舗情報とが含まれる。
【００２１】
（ステップＳ３０４）ＣＰＵ１０１は、ステップＳ３０３で算出したレシートの長さが、予め設定されている縦書き領収書の長さより長いか否か判断する。レシートの長さが縦書き領収書の長さより長いと判断した場合はステップＳ３０７に進み、それ以外はステップＳ３０５に進む。縦書き領収書は、領収書に印字される文字の向き（本実施形態では文字の上部から下部に向かう方向（図５の矢印５００の方向）と定義する）と両面感熱ロール紙２０１が搬送される向きとが平行となるように印字された領収書であり、例えば図５に示すとおりである。なお、本実施形態での縦書き領収書の長さは、両面感熱ロール紙２０１が搬送される向きの長さのことである。
【００２２】
図５は、本実施形態における縦書き領収書の印字内容の一例を示した図である。図示する例では、縦書き領収書の印字内容は、文言「領収書」と、領収書の宛て名欄と、金額と、顧客に伝える文言と、印紙貼付欄と、日付と、店舗情報とが含まれる。なお、縦書き領収書の長さは、顧客が購入する商品数に依存せず、予め決まっている。また、縦書き領収書の長さはＲＡＭ１０２が予め記憶している。
【００２３】
（ステップＳ３０５）ＣＰＵ１０１は、第１サーマルヘッド２０４を制御し、両面感熱ロール紙２０１の一方の面にレシートを印字させ、第２サーマルヘッド２０５を制御し、両面感熱ロール紙２０１の他方の面に縦書き領収書を印字させる。その後、ステップＳ３０６に進む。なお、レシートと縦書き領収書は両面感熱ロール紙２０１の異なる面に印字されている。また、レシートと縦書き領収書の印字開始位置は両面感熱ロール紙２０１の同じ位置である。例えば、ＣＰＵ１０１は、両面感熱ロール紙２０１の先端から５ｍｍの位置からレシートと縦書き領収書の印字を開始するように印字機構を制御する。
【００２４】
（ステップＳ３０６）ＣＰＵ１０１は、カッター２０６を制御し、縦書き領収書の長さに基づいて両面感熱ロール紙２０１を切断する。その後、処理を終了する。なお、ステップＳ３０６では、ステップＳ３０４での判断により、レシートの長さが縦書き領収書の長さ以下であるため、縦書き領収書の長さに基づいて両面感熱ロール紙２０１を切断しても、レシートの印字の途中で切断されることはなく、レシートの下部に余白ができる。レシートの下部に余白があるレシートは例えば図６に示すとおりである。
【００２５】
図６は、本実施形態における下部に余白があるレシートの一例を示した図である。図示する例では、レシートはレシート部６０１と余白部６０２とを含む。レシート部６０１は、ステップＳ３０３で決定した印字内容が印字される。余白部６０２は、何も印字されない。
【００２６】
（ステップＳ３０７）ＣＰＵ１０１は、ステップＳ３０３で算出したレシートの長さが、予め設定されている横書き領収書の長さより長いか否か判断する。レシートの長さが横書き領収書の長さより長いと判断した場合はステップＳ３１０に進み、それ以外はステップＳ３０８に進む。横書き領収書は、領収書に印字される文字の向き（本実施形態では文字の上部から下部に向かう方向（図７の矢印７００の方向）と定義する）と両面感熱ロール紙２０１が搬送される向きとが直交となるように印字された領収書であり、例えば図７に示すとおりである。なお、本実施形態での横書き領収書の長さは、両面感熱ロール紙２０１が搬送される向きの長さのことである。また、横書き領収書は縦書き領収書よりも長いとする。また、横書き領収書の方が縦書き領収書よりも見栄えがよいため、顧客が購入する商品数が多く、レシートの長さが長い場合は、横書き領収書とする。
【００２７】
図７は、本実施形態における横書き領収書の印字内容の一例を示した図である。図示する例では、横書き領収書の印字内容は、文言「領収書」と、日付と、領収書の宛て名欄と、金額と、印紙貼付欄と、顧客に伝える文言と、店舗情報とが含まれる。なお、横書き領収書の長さは、顧客が購入する商品数に依存せず、予め決まっている。また、横書き領収書の長さはＲＡＭ１０２が予め記憶している。
【００２８】
（ステップＳ３０８）ＣＰＵ１０１は、第１サーマルヘッド２０４を制御し、両面感熱ロール紙２０１の一方の面にレシートを印字し、第２サーマルヘッド２０５を制御し、両面感熱ロール紙２０１の他方の面に横書き領収書を印字する。その後、ステップＳ３０６に進む。なお、レシートと横書き領収書は両面感熱ロール紙２０１の異なる面に印字されている。また、レシートと横書き領収書の印字開始位置は両面感熱ロール紙２０１の同じ位置である。例えば、ＣＰＵ１０１は、両面感熱ロール紙２０１の先端から５ｍｍの位置からレシートと横書き領収書の印字を開始するように印字機構を制御する。
【００２９】
（ステップＳ３０９）ＣＰＵ１０１は、カッター２０６を制御し、横書き領収書の長さに基づいて両面感熱ロール紙２０１を切断する。その後、処理を終了する。なお、ステップＳ３０９では、ステップＳ３０７での判断により、レシートの長さが横書き領収書の長さ以下であるため、横書き領収書の長さに基づいて両面感熱ロール紙２０１を切断しても、レシートの印字の途中で切断されることはなく、レシートの下部に余白ができる。レシートの下部に余白があるレシートは図６に示したとおりである。また、横書き領収書の長さに基づいて両面感熱ロール紙２０１を切断しているため、印字される領収書は図７に示した通りとなる。
【００３０】
（ステップＳ３１０）ＣＰＵ１０１は、ステップＳ３０８と同様に、第１サーマルヘッド２０４を制御し、両面感熱ロール紙２０１の一方の面にレシートを印字し、第２サーマルヘッド２０５を制御し、両面感熱ロール紙２０１の他方の面に横書き領収書を印字する。その後、ステップＳ３１１に進む。
【００３１】
（ステップＳ３１１）ＣＰＵ１０１は、カッター２０６を制御し、レシートの長さに基づいて両面感熱ロール紙２０１を切断する。その後、処理を終了する。なお、ステップＳ３１１では、ステップＳ３０７での判断により、レシートの長さが横書き領収書の長さより長いため、レシートの長さに基づいて両面感熱ロール紙２０１を切断しても、横書き領収書の印字の途中で切断されることはなく、横書き領収書の下部に余白ができる。横書き領収書の下部に余白がある領収書は例えば図８に示すとおりである。
【００３２】
図８は、本実施形態における下部に余白がある横書き領収書の一例を示した図である。図示する例では、横書き領収書は領収書部８０１と余白部８０２とを含む。領収書部８０１には、図７で示したとおりの内容が印字される。余白部６０２は、何も印字されない。また、領収書部８０１と余白部８０２との境界部に切り取り線が印字される。これにより、顧客が余白部８０２をハサミ等で切断しやすくなる。また、余白部８０２を切断することで、顧客が領収書を保管したり、どこかに提出したりする際に便利である。
【００３３】
また、ステップＳ３１１におけるレシートの印字例は図９に示すとおりである。図９は、本実施形態におけるレシートの印字内容の一例を示した図である。図示する例では、レシートの印字内容は、顧客に伝える文言と、レシートを発行した日時と、担当者名と、商品名と、商品の価格と、店舗情報とが含まれる。なお、図示する例では、レシートは余白部を含まない。
【００３４】
上述したとおり、本実施形態によれば、両面感熱ロール紙２０１の片面にレシートを印字し、もう一方の面に領収書を印字するため、印字用の紙を減らすことができる。また、領収書発行用の操作を行うことなく領収書を発行することができるため、精算処理の速度をより向上させることができる。また、精算装置が、自動的に必要な両面感熱ロール紙２０１の長さを判断し切断するため、両面感熱ロール紙２０１に確実にレシート部と領収書部の両方の項目を欠けることなく印字することができる。また、レシート部の長さと、縦書き領収書の長さと、横書き領収書の長さとを比較し、どのフォーマットを使用して領収書を印字するのか決定するため、両面感熱ロール紙２０１の使用量と領収書の見栄えとを考慮した領収書の印字を行うことができる。
【００３５】
以上、この発明の実施形態について図面を参照して詳述してきたが、具体的な構成はこの実施形態に限られるものではなく、この発明の要旨を逸脱しない範囲の設計等も含まれる。たとえば、本実施形態では両面感熱ロール紙を使用してレシートおよび領収書の印字を行ったが、これに限らず、通常の用紙にインクジェット印字やインクリボンを用いてレシートおよび領収書を印字しても良い。さらに、用紙の表と裏とで異なった印字方法を用いても良い。
【００３６】
また、用紙を切断する長さを、レシートと領収書のどちらに基づくかの判断は、顧客が購入する商品の数、あるいは商品登録の操作数に基づいて決定しても良い。
【００３７】
また、縦書き領収書を印字する場合は、領収書の合計金額に応じて印紙貼付欄の有無を決定し、さらなる用紙の節約を行うようにしても良い。
【００３８】
また、返品時にはレシートの合計金額がマイナスとなるが、この場合、レシートのみを印字し、領収書を印字しないようにしても良い。同様に、一度登録した商品を取り消しした場合にはレシートの合計金額が０となるが、この場合もレシートのみを印字し、領収書を印字しないようにしても良い。
【図面の簡単な説明】
【００３９】
【図１】本発明の一実施形態による精算装置の構成図である。
【図２】本実施形態における印字機構の構成を示した図である。
【図３】本実施形態における、レシートおよび領収書を発行する動作の流れを示したフローチャートである。
【図４】本実施形態におけるレシートの印字内容の一例を示した図である。
【図５】本実施形態における縦書き領収書の印字内容の一例を示した図である。
【図６】本実施形態における下部に余白があるレシートの一例を示した図である。
【図７】本実施形態における横書き書き領収書の印字内容の一例を示した図である。
【図８】本実施形態における下部に余白がある横書き領収書の一例を示した図である
【図９】本実施形態におけるレシートの印字内容の一例を示した図である。
【符号の説明】
【００４０】
１０１・・・ＣＰＵ、１０２・・・ＲＡＭ、１０３・・・ＲＯＭ、１０４・・・表示部、１０５・・・操作部、１０６・・・ドロアー部、１０７・・・時計、１０８・・・通信部。１０９・・・第１サーマルヘッド制御部、１１０・・・第２サーマルヘッド制御部、１１１・・・カッター部、１１２・・・第１プラテンローラ駆動部、１１３・・・バーコードスキャナ、２０１・・・両面感熱ロール紙、２０２・・・第１プラテンローラ、２０３・・・第２プラテンローラ、２０４・・・第１サーマルヘッド、２０５・・・第２サーマルヘッド、２０６・・・カッター、６０１・・・レシート部、６０２，８０２・・・余白部、８０１・・・領収書部
【図１】
0005401786.tif 000002
【図２】
0005401786.tif 000003
【図３】
0005401786.tif 000004
【図４】
0005401786.tif 000005
【図５】
0005401786.tif 000006
【図６】
0005401786.tif 000007
【図７】
0005401786.tif 000008
【図８】
0005401786.tif 000009
【図９】
0005401786.tif 000010